(57)【要約】【目的】  巻尺テープの色となるベースコートの塗装色を変える際、ベースコートのラインを停止させなければならないため生産効率の低下を招いてしまう。このことから、生産効率に影響を及ぼすことなく巻尺テープの色を任意の色に変えることができる巻尺テープのカラーリング方法を提供することを目的とする。【解決手段】  テープ部材に第１の色を塗装して、その上に第１の色と異なる透視可能な第２の色を塗装し、その第２の色を透して第１の色を見せる。例えば、テープ部材１２に白色のベースコート２を行い、この上に濃色の色のメモリ３を印刷し、さにこの上に青色の半透明の被覆４を行うことにより、人の目には、ベースコート２の白色に被覆４の青色が加わってベースコート２が透明性のある青色に見える。すなわち、人の目には巻尺テープ１が水色として見える。【選択図】  図１
2005279517.tif 000002
【特許請求の範囲】
【請求項１】
テープ部材に第１の色を塗装して、その上に第１の色と異なる透視可能な第２の色を塗装し、その第２の色を透して第１の色を見せることによって色が決定されることを特徴とする巻尺テープのカラーリング方法
【請求項２】
前記第２の色は第１の色がほぼ乾いてから塗装することを特徴とする請求項１の巻尺テープのカラーリング方法
【請求項３】
前記第１の色はメモリ等の表示前にテープ部材に行われるベースコートの塗装色であることを特徴とする請求項１の巻尺テープのカラーリング方法
【請求項４】
前記第１の色は白色系あるいは淡色系のものであることを特徴とする請求項１の巻尺テープのカラーリング方法
【請求項５】
前記第２の色はメモリ等の表示が完了したテープ部材に行われる被覆の塗装色であることを特徴とする請求項１の巻尺テープのカラーリング方法
【請求項６】
前記被覆は熱可塑性素材からなるものであることを特徴とする請求項５の巻尺テープのカラーリング方法
【請求項７】
前記第２の色の上に透視可能な色を任意の回数塗装することを特徴とする請求項１の巻尺テープのカラーリング方法
【請求項８】
前記テープ部材が金属素材から形成されたものであることを特徴とする請求項１の巻尺テープのカラーリング方法
【請求項９】
前記テープ部材が繊維素材から形成されたものであることを特徴とする請求項１の巻尺テープのカラーリング方法
【発明の詳細な説明】
【技術分野】
【０００１】
本発明は、巻尺テープに関し、特にテープ部材のカラーリングに関するものである。
【背景技術】
【０００２】
従来、巻尺テープの色は、テープ材料として納入された相当な長さで巻回されているロール状のテープ部材に、最初に行なわれるベースコートの塗装色が巻尺テープの色となるのである。そして、ベースコートが行われたテープ部材はロール状に巻き取られて保管され、任意の時期にそのテープ上に測定用のメモリが表示されて巻尺テープとなる。さらに、巻尺の使用による測定用メモリの薄れを防止するため、少なくともメモリが表示されたテープ上に透明樹脂塗料の被覆が行われてメモリが保護されている。
【発明の開示】
【発明が解決しようとする課題】
【０００３】
今日、巻尺においても、機能重視の単なる仕事の道具に留まらず使ったときの楽しさも取り入れたファッション性豊かな製品の開発が盛んであり、その中の一つとして、白色を基調としていた巻尺テープの色を他の色に変えてファッション性を持たせることが考えられている。すなわち、テープ部材の表面に塗装されるベースコートの色を、白色塗装ではなく他の任意の色を塗装するのである。
【０００４】
しかして、このベースコートの塗装色の変更は、単に塗装色を変更すればよいというものではないのである。なぜなら、塗装色の変更にはベースコートのラインを停止させて塗料タンクや印刷ローラ等を清掃しなければならないのである。このベースコートのラインは、巻尺テープを製造する際の最初のラインとなるので、このラインがスムーズに流れなければ後の生産効率が極端に低下してしまうのである。
【０００５】
また、生産効率の低下を考えずにベースコートの塗装色を変更した場合は、製品となるまでの歩留まり等も考慮して行わなければならないのである。従って、歩留まりの率によっては製品が余ったりまた足らなくなったりするのである。そして、余ったからといって他に流用することも簡単にはできず、せっかく製造した巻尺テープが無駄となってしまうのである。
【０００６】
従って、本発明は上述した問題点に鑑みてなされたもので、生産効率に影響を及ぼすことなく巻尺テープの色を任意の色に変えることができる巻尺テープのカラーリング方法を提供することを目的とするものである。
【課題を解決するための手段】
【０００７】
本発明の要旨とするところは、テープ部材に第１の色を塗装して、その上に第１の色と異なる透視可能な第２の色を塗装し、その第２の色を透して第１の色を見せることによって色が決定されることを特徴とする巻尺テープのカラーリング方法である。
【０００８】
本発明の巻尺テープのカラーリング方法を詳しく説明すると、第１に塗装した塗料の色を、第２に塗装した透視可能な任意の濃度に調整された半透明の塗料の色を透して見せることにより、第１に塗装した色に第２に塗装した色が加えられて、第１に塗装した色が任意の色に変化して見えるようにしたもので、最終的に人の目には、この変化して見える色が巻尺テープの色となるカラーリングの方法である。
【０００９】
第２の色は第１の色がほぼ乾いてから塗装するのがよいが、勿論、第１の色が乾く前に第２の色を塗装してもよい。
第１の色は、特にメモリ等の表示前にテープ部材に行うベースコートとして塗装するのがよい。ベースコートとしては、エポキシ系やアクリル系そしてポリエステル系やメラニン系等の樹脂塗料が適している。
そして、第１に塗装する色合いも特に限定するものではないが、白色系あるいは淡色系の色を塗装するのがよい。
【００１０】
第２の色は、特にメモリ等の表示が完了したテープ部材に行う被覆として塗装するのがよい。被覆として塗装する場合の素材も特に限定するものではなく、好適な素材からなるものを塗装すればよい。
具体的なものとしては、熱可塑性素材からなる透視可能な樹脂塗料を塗装するのがよい。例えば、液状化可能な樹脂素材やナイロン／ポリエステル／エポキシ／メラニン等の樹脂系塗料を用いればよい。
【００１１】
そして、第２の色の色合いも特に限定するものではなく、最終的に人の目に見せる色となるように、第１の塗装に用いる色を考慮して選定すればよい。その塗装の色の濃度も任意に調整すればよい。
さらには、第２の色の上にさらに透視可能な任意の色を任意の回数塗装してもよい。例えば、第２の塗装の上に第３の塗装をした場合、第１に塗装した塗料の色が、第２および第３に塗装した透視可能な任意の濃度に調整された半透明の塗料の色を透して見せることにより、第１に塗装した色に第２および第３に塗装した色が加えられて、第１に塗装した色が任意の色に変化して見える。
【００１２】
テープ部材の素材も特に限定するものではなく、金属素材や繊維素材から形成されたものを用いればよい。
金属素材のテープ部材としては、焼き入れされた帯鋼材から成形すればよく、その素材としては鉄材やステンレス材等がよい。
繊維素材のテープ部材としては、適宜の繊維を織り合わせた帯体から成形すればよい。
【００１３】
そして、繊維とは、適宜の素材を糸状に形成したものを指し、その素材としては、アラミド／ナイロン／ガラス等がある。勿論、ここに示す以外の繊維から形成してもよい。
そして、その繊維が適宜に織り合わされ、それに所定の処理（直立可能にするための湾曲形成等）が実施されてテープ体（帯体）が形成される。
【００１４】
用いる繊維は１種類でもよいが、複数の種類を用いて織り合わせてもよい。具体的には、横糸と縦糸に同一種類の繊維を用いたり、横糸と縦糸を別種類の繊維を用いて織り上げてもよい。例えば、アラミド繊維からなる糸とガラス繊維からなる糸を組合せてテープ体を織り上げてもよい。すなわち混紡であり、縦糸にアラミド繊維からなる糸を用い横糸にガラス繊維からなる糸を用いて織るのが特によい。
【００１５】
従って、本発明の巻尺テープのカラーリング方法は以上のように構成されているので、第１に塗装した塗料の色を、第２に塗装した透視可能な任意の濃度に調整された半透明の塗料の色を透して見せることにより、第１に塗装した色に第２に塗装した色が加えられて、第１に塗装した色が任意の色に変化して見える。すなわち、人の目には、この変化して見える色が巻尺テープの色（塗装色）として認識される。
【発明の効果】
【００１６】
本発明の巻尺テープのカラーリング方法は以上のように、第１の色はベースコートとして１色の色合いで塗装することがてきるので、生産効率を左右するベースコートのラインを停止させることがない。従って、従来と変わりない生産量を確保することができる。また、歩留まりを考慮することもないので、製品の無駄がでない。そして、第２の色の塗装は被覆を兼ねるので、巻尺テープの着色工程と被覆工程を同時に行うことができる。尚且つ、強靭な保護膜で覆われた巻尺テープとなる。
【発明を実施するための最良の形態】
【００１７】
本発明の巻尺テープのカラーリング方法を以下図面に従って説明すると、図１は、本発明に係る巻尺テープを示す一部断面図であり、１は測定用テープとして完成された巻尺テープ、１２は巻尺テープ１の基材となるテープ部材、２は脱脂等の処理が終わったテープ部材１２に行われるベースコート、３はメモリ、４はメモリを保護するための被覆である。
すなわち、ベースコート２を任意の色で塗装（透視可／透視不可の塗料）し、被覆４を透視可能な任意の色の塗料で塗装することにより、人の目には、ベースコート２の色に被覆４の色が加わった色として見える。この色が巻尺テープ１の色（塗装色）と見えるのである。
【００１８】
図２は、他の形態の巻尺テープを示す一部断面図であり、本図の巻尺テープ１は、色を３色合せているもので、ベースコート２を任意の色で塗装（透視可／透視不可の塗料）し、その上に透視可能な任意の色の塗料で中間塗装５を行い、その上に被覆４を透視可能な任意の色の塗料で塗装することにより、人の目には、ベースコート２の色に中間塗装５の色と被覆４の色が加わった色として見える。この色が巻尺テープ１の色（塗装色）と見えるのである。
【００１９】
図３は、ベースコート印刷の一例を示す概略図であり、１２は巻尺テープ１の基材となるテープ部材、６はベースコート２を印刷するための印刷装置、６１は６印刷装置に備える塗料タンク、６２は塗料をテープ部材１２に印刷（塗装）するための印刷ローラ、７は印刷されたベースコート２を乾燥させるための乾燥装置である。そして、テープ部材１２はロール状に巻き取られる。１３はロール状に巻き取られた塗完ロールで、後に測定用のメモリ３が印刷される。（図示なし）
【００２０】
図４は、被覆形成の一例を示す概略図であり、１３ａはベースコート２の上に測定用のメモリ３が印刷されたメモリ塗完ロールで、このメモリ塗完ロール１３ａからテープ部材１２が被覆形成用の押出装置８に入り適宜に被覆が行われる。８１は被覆４を強固に付着させるための定着ローラである。そして、テープ部材１２はロール状に巻き取られて巻尺テープ１となる。
【００２１】
図５は、色の設定の一例を示す図であり、（ａ）図は、ベースコート２を白色とし、被覆４を半透明の青色としたもので、この場合、人の目には透明性のある青色の巻尺テープとして見える。すなわち、巻尺テープは水色に見える。（ｂ）図は、ベースコート２を白色とし、被覆４を半透明の赤色としたもので、この場合、人の目には透明性のある赤色の巻尺テープとして見える。すなわち、巻尺テープは薄赤色に見える。このように、ベースコート２の色は１つの色でも被覆の色を任意に変えることによって所望の色を作ることができる。
図６は、巻尺テープの一例を示す斜視図である。
【図面の簡単な説明】
【００２２】
【図１】本発明に係る巻尺テープを示す一部断面図
【図２】他の形態の巻尺テープを示す一部断面図
【図３】ベースコート印刷の一例を示す概略図
【図４】被覆形成の一例を示す概略図
【図５】色の設定の一例を示す図
【図６】巻尺テープの一例を示す斜視図
【符号の説明】
【００２３】
１−巻尺テープ，１１−係止片，１２−テープ部材，１３−塗完ロール，１３ａ−メモリ塗完ロール，２−ベースコート，３−メモリ，４−被覆，５−中間塗装，６−印刷装置，６１−塗料タンク，６２−印刷ローラ，７−乾燥装置，８−押出装置，８１−定着ローラ
【図１】
2005279517.tif 000003
【図２】
2005279517.tif 000004
【図３】
2005279517.tif 000005
【図４】
2005279517.tif 000006
【図５】
2005279517.tif 000007
【図６】
2005279517.tif 000008